(57)【特許請求の範囲】
【請求項１】
積載物を搬送するための路上荷役車両（３）であって、パレット（１）上で運搬される積載物（２）が、前記車両（３）の長手方向構造体に沿って移動するモータ駆動型ハンドリング装置（５）によって、積載空間内で、移動、方向付け、および設置され、
前記長手方向構造体が、前記積載空間に沿って前記車両（３）によって支持される長手方向ガイドレール（７）を備えること、
２つのヒンジ式ドア（１０）が、前記車両（３）の後方の前記積載空間を閉鎖するために設けられること、
各ヒンジ式ドア（１０）が、前記ガイドレール（７）と同じ高さに位置する長手方向ガイドレール部（１１）を備えること、
前記ヒンジ式ドア（１０）が９０度に開放されると、各ガイドレール部（１１）が前記ガイドレール（７）の１つを延長させ、前記モータ駆動型ハンドリング装置（５）が、前記ガイドレール（７）上および前記ガイドレール部（１１）上の両方で移動することを可能にすること、
を特徴とする車両（３）。
【請求項２】
前記ガイドレール（７）が、前記車両の上方部分に位置し、前記ガイドレール部（１１）が、前記ヒンジ式ドア（１０）の上方部分に位置し、前記ヒンジ式ドア（１０）が９０度に開放されると、各ガイドレール（７）が、関連するガイドレール部（１１）と同じ長手方向軸に沿って直近に位置することを特徴とする請求項１記載の車両（３）。
【請求項３】
前記ヒンジ式ドア（１０）が、前記積載空間の内面上に位置決めされるヒンジを備えることを特徴とする請求項１または２記載の車両（３）。
【請求項４】
前記長手方向構造体が、互いに連結される２つの積載構造体（３ｂ、３ｃ）を備え、積載構造体のそれぞれが、前記モータ駆動型ハンドリング装置（５）の移動のための一組のガイドレール（７ａ、７ｂ）を備え、一方の積載構造体（３ｃ）の２つのガイドレール（７ｂ）の組を、他方の積載構造体（３ｂ）の２つのガイドレール（７ａ）の組の直近に位置させるように、またはその逆となるように、前記積載構造体（３ｂ、３ｃ）のそれぞれによって支持される前記ガイドレール（７ａ、７ｂ）の接近要素をさらに備えることを特徴とする請求項１〜３のいずれか１項に記載の車両（３）。
【請求項５】
前記接近要素が、伸縮式牽引棒（１２）を備えることを特徴とする請求項４記載の車両（３）。
【請求項６】
前記接近要素が、伸縮式ガイドレール（７ａまたは７ｂ）を備えることを特徴とする請求項４記載の車両（３）。
【請求項７】
前記接近要素が、一方の積載構造体（３ｂまたは３ｃ）を、他方の積載構造体（３ｃまたは３ｂ）に対して移動させることが可能であることを特徴とする請求項４記載の車両（３）。
【請求項８】
前記長手方向構造体を支持するセミトレーラ（３ａ）およびトラクタを備えることを特徴とする請求項１〜３のいずれか１項に記載の車両（３）。
【請求項９】
一方の積載構造体（３ｂ）を支持するトラクタ、および他方の積載構造体（３ｃ）を支持する、連結されるトレーラを備えることを特徴とする請求項４〜７のいずれか１項に記載の車両（３）。
【請求項１０】
前記２つの積載構造体（３ｂ、３ｃ）の接近中に、前方の前記ガイドレール（７ａ）と後方の前記ガイドレール（７ｂ）との間の微小なずれを補正するためのセンタリングシステムを備え、前記センタリングシステムが、各ガイドレール（７ｂ、７ａ）のそれぞれの端部上に設けられる一組の係合コーン（１３）および補完形状の凹部（１３ａ）を備えることを特徴とする請求項４〜７のいずれか１項に記載の車両（３）。
【請求項１１】
相互接近の間、前記積載構造体（３ｂ、３ｃ）の基部（９）の間の微小なロール、ピッチ、およびヨーを補正することが可能である補正システムを備え、前記補正システムは、基部（９）上に補完形状の係合部分を備え、係合部分は、前方の前記積載構造体（３ｂ）の前記基部（９）の後部に設けられる凹んだ雌係合部分（１６ａ）、および後方の前記積載構造体（３ｃ）の前記基部（９）の前部に設けられる突出した雄係合部分（１６ｂ）を備えることを特徴とする請求項４〜７のいずれか１項に記載の車両（３）。
【請求項１２】
係合部分（１６ａ、１６ｂ）のそれぞれが、前記雌係合部分（１６ａ）内での前記雄係合部分（１６ｂ）の受容のためのガイドランプおよび停止部として機能する傾斜部分（１７ａ、１７ｂ）を有することを特徴とする請求項１１記載の車両（３）。
【発明の詳細な説明】
【技術分野】
【０００１】
本発明は、貨物の搬送の一般技術に関し、特に、パレット上に設置される積載物の搬送の一般技術に関する。これらの積載物とは、たとえば、同じまたは異なる外形を示す自動車である。
【０００２】
より具体的には、本発明は、車両によって支持されるガイドレールに沿って移動するモータ駆動型ハンドリング装置によって積載物が移動、方向付け、設置される、積載物を搬送するための路上荷役車両に関する。その車両は、ハンドリング装置の長手方向移動の経路が延長されること、および車両が、連結された２つの積載構造体を備えるときに、ハンドリング装置が１つの構造体から別の構造体へ移動することを可能にする手段を含む。
【背景技術】
【０００３】
たとえば、特許文献１により、セミトレーラに荷積みおよび荷卸しするための器械が知られている。その器械は、積載空間の後端部に取り付けられ、車輪支持部を基部として車両を横方向に把持するための、およびアセンブリを荷積み位置に移動させるための関節アームを備える。様々な動作および移動は、制御装置において従事するオペレータによって制御される。そのような器械は、オペレータによって絶え間なく制御されるという欠点を有する。さらに、オペレータは、特殊な制限を課す、最適な荷積み、荷卸し、最適な搬送または分配のために必要な情報の全てを有するとは限らない。したがって、積載物、この例では車両が、非最適の、または危険な荷積み位置に設置されるということが起こり得る。荷積みの誤りは、少なくともいくつかの積載物を再度移動させることによってのみ修正され得る。この結果、著しい時間の損失となり得る。把持アームを位置決めすることによって確実に自動車が揺れないようにしなければならない自動車の把持は、オペレータの判断によって行われる。したがって、把持は時間のかかる作業であり、また、比較的危険でもある。
【先行技術文献】
【特許文献】
【０００４】
【特許文献１】米国特許第４，５９７，７１２号明細書
【発明の概要】
【発明が解決しようとする課題】
【０００５】
したがって、本発明の目的は、新たな荷積み／荷卸し装置を備える、積載物を搬送するための路上荷役車両を提案することによって、先行技術の欠点を緩和することであり、その実施は、簡易かつ迅速で、信頼性がある。
【課題を解決するための手段】
【０００６】
本発明に与えられる目的は、積載物を搬送するための路上荷役車両によって達成され、その車両では、パレット上で運搬される積載物が、車両の長手方向構造体に沿って移動するモータ駆動型ハンドリング装置によって、積載空間内で、移動、方向付け、および設置され、
長手方向構造体が、積載空間に沿って車両によって支持される長手方向ガイドレールを備えること、
２つのヒンジ式ドアが、車両の後方の積載空間を閉鎖するために設けられること、
各ヒンジ式ドアが、ガイドレールと同じ高さに位置する長手方向ガイドレール部を備えること、
ヒンジ式ドアが９０度に開放されると、各ガイドレール部がガイドレールの１つを延長させ、モータ駆動型ハンドリング装置が、ガイドレール上およびガイドレール部上の両方で移動することを可能にすること、
を特徴とする。
【０００７】
一実施形態によると、ガイドレールが、車両の上方部分に位置し、ガイドレール部が、ヒンジ式ドアの上方部分に位置し、関節式ドアが９０度に開放されると、各ガイドレールが、関連するガイドレール部と同じ長手方向軸に沿って直近に位置する。
【０００８】
別の実施形態によると、ヒンジ式ドアが、積載空間の内面上に位置するヒンジを備える。
【０００９】
代替の実施形態によると、車両が、互いに連結される２つの積載構造体を備え、積載構造体のそれぞれが、モータ駆動型ハンドリング装置の移動のための一組のガイドレールを備え、一方の積載構造体の各組のガイドレールを、他方の積載構造体の一組のガイドレールの直近に位置させるように、またはその逆となるように、積載構造体のそれぞれによって支持されるガイドレールの接近要素をさらに備える。
【００１０】
代替の実施形態によると、接近要素が、伸縮式牽引棒、伸縮式ガイドレール、ねじ・ナット型のヘリカル系、または他の既知の接近要素を備えてもよい。
【００１１】
代替の実施形態によると、接近要素が、一方の積載構造体を、他方の積載構造体に対して移動させることが可能であってもよい。
【００１２】
別の代替の実施形態によると、車両が、積載構造体を支持するトラクタおよびセミトレーラを備える。
【００１３】
さらなる代替の実施形態によると、車両が、積載構造体を支持するトラクタ、および他方の積載構造体を支持する連結されるトレーラを備える。
【００１４】
先の代替の実施形態によると、車両が、２つの積載構造体の接近中に、前方および後方ガイドレール間の微小なずれを補正するためのセンタリングシステムを備えてもよく、センタリングシステムが、各ガイドレールのそれぞれの端部上に設けられる一組の係合コーンおよび補完形状の凹部を備える。
【００１５】
車両は、また、相互接近の間、積載構造体の基部の間の微小なロール、ピッチ、およびヨーを補正することが可能である補正システムを備えてもよく、補正システムは、基部上の補完形状の係合部分を備え、係合部分は、前方の積載構造体の基部の後部に設けられる凹んだ雌係合部分、および後方の積載構造体の基部の前部に設けられる突出した雄係合部分を備える。
【００１６】
代替の実施形態によると、係合部分のそれぞれが、雌係合部分内での雄係合部分の受容のためのガイドランプおよび停止部として機能する傾斜部分を有してもよい。
【発明の効果】
【００１７】
本発明による車両の利点の１つは、荷積みおよび荷卸し作業の高度な自動化である。
【００１８】
本発明による車両の別の利点は、荷積みおよび荷卸し作業中の大幅な時間の節約である。実際には、これらの作業の自動化は、自動化された装置が、自動車の、その荷積み位置への自動化された設置を続行する間に、オペレータが、たとえば自動車を荷積みするときに、荷積みする別の自動車を検索することを可能にする。同様の時間の節約が、荷卸し作業中に見られる。
【００１９】
本発明による車両の別の利点は、高度な自動化にもかかわらず、それが達成する高い信頼性にある。
【００２０】
本発明による荷積み／荷卸し装置の別の利点は、様々な種類の積載物に適応されるということである。
【００２１】
本発明による車両の別の利点は、たとえばモータ駆動型車両に連結されるトレーラで構成される関節式ユニットの様々な積載空間の、非常に容易で、全く安全な荷積みおよび荷卸しを可能にするということである。
【００２２】
本発明による車両の別の利点は、モータ駆動型ハンドリング装置を移動させるカートのための移動の経路の増加を達成することにある。
【図面の簡単な説明】
【００２３】
本発明の他の特徴および利点が、非限定的な例として提供され、添付の図面に関連して提供される以下の説明からより明確に見られる。
【００２４】
【図１】モータ駆動型ハンドリング装置によって取り扱われるパレットを使用して荷積みおよび荷卸しされることが可能である本発明による車両であって、モータ駆動型ハンドリング装置による、自動車を支持するパレットの把持および荷積みの作業中が示されるセミトレーラである車両の一実施形態の斜視図である。
【図２】運転時構成において空の状態で示される、２つの連結された積載構造体を有する車両である、本発明による車両の実施形態の側面図である。
【図３】荷積み／荷卸し時構成において空の状態で示される図２の車両を図示する。
【図４】運転時構成において満載された状態で示される図２の車両を図示する。
【図５】２つの積載構造体の整列を検証するための手段を備える、本発明による車両の牽引棒の実施形態の部分的な斜視図である。
【図６ａ】本発明による車両の２つの積載構造体間の接近の例を図示する。
【図６ｂ】本発明による車両の２つの積載構造体間の接近の例を図示する。
【図６ｃ】本発明による車両の２つの積載構造体間の接近の例を図示する。
【発明を実施するための形態】
【００２５】
複数の異なる図面中に示される構造的および機能的に同一の要素には、同じ数字または英数字の参照符号が割り当てられる。
【００２６】
図１は、車両３、たとえばセミトレーラ３ａ上への荷積み中に、パレット１が、積載物２、この例では自動車を支持する荷積み段階を図示する。
【００２７】
荷積みされたパレット１は、把持部６によってパレット１を把持するモータ駆動型ハンドリング装置５によって移動させられる。パレット１は、その側部のそれぞれを、より詳細には、その側部長手方向梁のそれぞれを把持部６によって把持または掛止される。
【００２８】
ハンドリング装置５を支持するカート４は、長手方向ガイドレール７、すなわち、セミトレーラ３ａ内で画定される積載空間の両方の側部に沿って、または両方の側部上を延びる長手方向ガイドレール７上を移動させられる。ガイドレール７は、好ましくは、積載空間の上部に位置決めされる。
【００２９】
カート４は、マニピュレータ５が、ひいてはパレット１が、積載空間内で移動することを可能にする。
【００３０】
側部アーム５ａは、有利には伸縮式であり、カート４上にヒンジ接続され、同様に、把持部６は、その側部アーム５ａの下方先端部にヒンジ接続される。
【００３１】
マニピュレータ５は、一方ではパレット１が、垂直方向および水平方向に移動させられることを可能にし、他方ではパレット１の方向付けが、把持部６によって変更されることを可能にする。
【００３２】
パレット１の移動および方向付けは、特に、本明細書においてはより詳細には説明されない油圧シリンダなどのアクチュエータによって達成される。電動式または空気圧式アクチュエータを使用することも可能である。
【００３３】
車両３は、側部上に、パレット１のための支持構造を備える側壁を有してもよい。支持構造は、有利には、車両３の基部９をガイドレール７に接続する垂直材８間を延在する。
【００３４】
車両３は、後部において、積載空間を閉鎖するために設けられる２つのヒンジ式ドア１０を備える。各ヒンジ式ドア１０は、好ましくは、ドア１０の上部に、ガイドレール７と同じ高さに位置するガイドレール部１１を備える。
【００３５】
したがって、ヒンジ式ドア１０が９０度に開放されると、各ガイドレール部１１は、延長ガイドレールを形成するために、ガイドレール７の１つを延長させ、ハンドリング装置５がガイドレール７上、およびガイドレール部１１上の両方を移動することを可能にし、それによって後部に向かう経路を延長する。
【００３６】
ヒンジ式ドア１０が９０度に開放されると、各ガイドレール部１１は、好ましくは、ガイドレール７の延長部において、同じ長手方向軸に沿って、ガイドレール７の１つの直近に位置する。したがって、延長ガイドレール７に沿って移動するとき、ハンドリング装置５は、作業の妨げとなり得る、レールのどのような不連続部分にも遭遇しない。ドア１０のヒンジは、好ましくは、積載空間の内面側に設けられる。
【００３７】
図２〜図４は、前方の積載構造体３ｂ、およびもう１つの後方の積載構造体３ｃを備える車両３を図示する。積載構造体３ｂおよび３ｃは、前方の積載構造体３ｂを支持するトラクタを、後方の積載構造体３ｃを支持するトレーラに接続する牽引棒１２によって互いに連結される。積載構造体３ｂおよび３ｃのそれぞれは、カート４によるハンドリング装置５の移動を確実にするために、一組のガイドレール７ａ、７ｂを備える。
【００３８】
車両３が移動するとき、カーブの場合、一方が他方に対して枢動することを可能にするために、積載構造体３ｂと３ｃとの間に空間を有する必要がある。したがって、図２および図４に表される運転位置において、積載構造体３ｂおよび３ｃは分離され、その結果、それらの前方のガイドレール７ａおよび後方のガイドレール７ｂは、互いに直近に位置しない。
【００３９】
荷積み／荷卸し位置において、ハンドリング装置５のガイドレール７ａ、７ｂに沿った移動を可能にするために、ガイドレール７ａ、７ｂは、互いに直近に設置されなければならない。
【００４０】
第１の解決策は、たとえば、伸縮式牽引棒１２を備える接近要素の使用から成る。したがって、車両３が、荷積みされる、または荷卸しされる必要があるとき、伸縮式牽引棒１２は、ガイドレール７ａ、７ｂが、互いに直近にある、または接触するまで、積載構造体３ｂおよび３ｃを近づけるように、収縮される。車両３が移動させられる必要があるとき、伸縮式牽引棒１２は、再度、運転位置へと伸展される。
【００４１】
第２の解決策は、たとえば、伸縮式ガイドレール７ａおよび／または７ｂを備える接近要素の使用から成る。したがって、車両３が荷積みまたは荷卸しされなければならないとき、ガイドレール７ａ、７ｂの少なくとも１つは、伸縮式であり、他方のガイドレール７ａおよび７ｂと相互に近づくように、互いに直近にある、または接触するまで伸展する。車両３が移動させられる必要があるときは、ガイドレール７ａおよび／または７ｂは、再度、運転位置へと収縮される。
【００４２】
本発明による車両３は、また、積載構造体３ｂと３ｃとの間の整列を検証することを可能にする検出手段を備えてもよい。たとえば図５に図示されるそのような検出手段は、たとえば、相対的な整列を測定する位置検出器１２ａを備える。その目的のため、車両３に、その本体上で、たとえば積載構造体３ｂの基部９上で、関節接合された、金属リングなどのトラック１２ｂが設けられる。トラック１２ｂは、牽引棒１２に取り付けられた顎部１２ｃによって把持されながら、部分的に牽引棒１２の上方を延在する。
【００４３】
位置検出器１２ａは、顎部１２ｃ上に配置され、トラック１２ｂは、トラック１２ｂの内周部１２ｅから突出するタブ１２ｄを有する。タブ１２ｄは、ヨーがない、すなわち、積載構造体３ｂおよび３ｃが整列するとき、タブ１２ｄが、位置検出器１２ａに対面するような寸法および位置である。位置検出器は、整列に関する情報を、たとえば、光式または音響式インジケータによってオペレータに伝達する。そのようにして、オペレータは、積載構造体３ｂおよび３ｃを相互に近づけてもよいか否かがわかる。
【００４４】
実際には、近づけている間、前方のガイドレール７ａおよび後方のガイドレール７ｂが、積載構造体３ｂおよび３ｃの両側部上で、同じ長手方向軸に沿って互いに直近に位置することができるように、積載構造体３ｂおよび３ｃが実質的に整列することが重要である。したがって、検出手段は、起こり得る欠陥性のヨー整列に関する情報が提供されることを可能にし、２つの構造体３ｂおよび３ｃの接近を防ぐ。次にオペレータは、構造体３ｂおよび３ｃを接近させる前に、関節式ユニットのヨーを修正するために操縦してもよい。したがって、２つの構造体３ｂと３ｃとの間のヨー角が必要とされる範囲内であるとき、関節ユニットの整列は許容可能であり、そのことは視覚または聴覚信号によって示される。そして、２つの構造体３ｂおよび３ｃの接近が達成され得る。
【００４５】
どのようなヨーの修正の後でも、状況に応じて、特に、車道の湾曲の場合、ロールおよび／またはピッチを修正する必要となり得る。そのために、本発明による車両３は、また、積載構造体３ｂおよび３ｃのための修正システムを備えてもよい。たとえば、図６ａ、６ｂ、および６ｃに図示される修正システムは、たとえば、ガイドレール７ａ、７ｂ、およびシュー（sabot）１４のためのセンタリング要素を備える。図６ａ、６ｂ、および６ｃは、接近段階中における、２つの積載構造体３ｂおよび３ｃ間の相対位置を示す。
【００４６】
基部９の長手方向梁の前方先端部に位置決めされる雄係合部分１６ｂを備えるシュー１４は、有利には、他の基部９の長手方向梁の後方先端部に設けられる補完形状部１６の雌係合部分１６ａ内におけるガイドおよび係合を容易にするために、傾斜部分１７ｂを有する。
【００４７】
雌係合部分１６ａは、有利には、積載構造体３ｂおよび３ｃの接近が完了するときに、対応するシュー１４の雄係合部分１６ｂが当接する傾斜面１７ａを有する。
【００４８】
センタリング要素は、たとえば、ガイドレール７ｂの延長部内に係合コーン１３と、係合コーン１３を受容するように意図される補完形状の凹部１３ａとを備える。したがってセンタリング要素は、ガイドレール７ａ、７ｂの２つの先端部を適切に整列させることを可能にし、ならびに荷積みおよび荷卸し段階の間、全体としての積載構造体に剛性を加えることを可能にする。
【００４９】
一方では、補完形状部１６内におけるシュー１４の係合、および凹部１３ａ内におけるコーン１３の係合は、構造体３ｂおよび３ｃのサスペンションにより吸収される圧力のおかげで、接近中に互いと接触する２つの構造体３ｂと３ｃとの間のロール、ピッチ、およびヨーのための整列における微小な欠陥を補正することを可能にする。
【００５０】
図１または３に図示されるものと類似の構成において、開放位置にあるドア１０のガイドレール部１１の延長部に位置決めされて、ガイドレール７ａ、７ｂは、ガイドレール部１１とともに、ハンドリング装置５を支持するカート４が、その全長に亘って一方から他方へと移動させられることを可能にする延長ガイドレールを形成する。
【００５１】
図４は、自動車が満載された２つの積載構造体３ｂおよび３ｃを備える車両３を図示する。車両３は、運転位置、すなわち積載構造体３ｂおよび３ｃが互いから分離されて表示されている。
【００５２】
このように搬送される自動車の数を最大化するために、積載構造体３ｃの後部の下方位置に配置される最後の自動車は、荷積みのために地面に届く伸長可能のプラットフォーム上に荷積みされ、そして運転位置に上昇される。積載構造体３ｃの後部の上方位置に配置される自動車は、同様に、開放位置のドア１０によって部分的に支持されてもよいパレット１上に荷積みされる。
【００５３】
本発明による車両は、また、所定の荷積み位置のそれぞれに届くように長手方向ガイドレール７上で移動するようにガイドされるモータ駆動型ハンドリング装置５を利用して、積載物を搬送するための路上荷役車両３に荷積み／荷卸しするための手段を実施することを可能にする。その荷積み／荷卸し方法は、好ましくは、基板に組み込まれるプログラマブル論理制御装置（ＰＬＣ）によって制御される。
【００５４】
本発明による荷積み／荷卸し方法の一実施形態において、以下のステップが連続して実行される。
【００５５】
第１のステップａ）の間、積載物２に関連する一次データが、ＰＬＣに入力される、または取り込まれる。一次データは、たとえば、各積載物２の寸法、重量、および／または優先的な方向付けに関連する。
【００５６】
ステップｂ）の間、ＰＬＣによって各積載物２のための、荷積みの最適位置が、一次データと、積載物の荷積み／荷卸し、搬送および／または分配の制限に関する補足データとに基づいて決定される。その補足データは、たとえば、オペレータによって入力されてもよい。
【００５７】
ステップｃ）の間、モータ駆動型ハンドリング装置５の自動化された移動は、ＰＬＣによって決定される。
【００５８】
ステップｄ）の間、パレット１が、積載空間内の保管位置にあるハンドリング装置５によって自動的に把持され、そのパレット１は、車両３の後部に位置する荷積み位置に位置決めされる。パレット１は、たとえば、地面上に平坦に据え付けられる。
【００５９】
ステップｅ）では、次に、積載物２がパレット１上に設置される。
【００６０】
ステップｆ）の間、積載物２を支持するパレット１が、ハンドリング装置５によって最適荷積み位置へと自動的に移動させられ、車両３の支持構造体上に荷積みされるそのパレット１は、自動的に係止される。
【００６１】
荷卸しの目的のために、荷積みに関連する記録されたデータのすべてが、ステップｇ）に従って、積載空間に配置される荷積みされたパレット１の荷卸しの順序を決定するために使用される。
【００６２】
次に、ステップｈ）に従って、荷積みされたパレット１は、ハンドリング装置５によって、自動的に係止解除され、車両の後方にある外部荷卸し位置に向かって移動させられる。
【００６３】
ステップｉ）に従って、積載物２が、パレット１から解放される。
【００６４】
最後に、ステップｊ）に従って、空のパレット１が、ハンドリング装置５によって自動的に戻され、積載空間内の保管位置に設置される。
【００６５】
荷積み位置および荷卸し位置は、概して、直接地面上に、または積載プラットフォーム上に位置付けられる。
【００６６】
本発明による一実施形態によると、方法は、車両３を完全に荷積みし、それぞれ荷卸しするように荷積み作業ｄ）〜ｆ）および荷卸し作業ｇ）〜ｊ）を繰り返すことから成る。
【００６７】
本発明による一実施形態によると、方法は、有利には、ステップｄ）の前に、ヒンジ式ドア１０を９０度に開放することから成る追加のステップを含む。そのドア１０は、手動または補助装置による閉鎖を防止する積載物２がなければ、荷積みの完了の際に再度閉鎖される。
【００６８】
互いに連結される２つの積載構造体３ｂおよび３ｃを備える車両３の場合、方法は、有利には、ステップｄ）の前に、ガイドレール７ａ、７ｂを互いに直近に近づけることから成る追加のステップを含む。
【００６９】
また、ステップｄ）の前に、積載構造体３ｂおよび３ｃは、伸縮式牽引棒１２を収縮させることによって近づけられるべきである。
【００７０】
本発明による実施形態によると、方法は、荷積み／荷卸し作業の完了の際に、ハンドリング装置５を支持構造上の規定の搬送位置に格納させることから成る。
【００７１】
別の図面中では、積載物２は、例として、自動車の形態で表されるが、当業者には、本発明は、どのような種類の積載物の荷積み／荷卸しにも完全に適することが明白である。
【００７２】
同様に、図面中に表される車両は、例としてのみ与えられ、本発明は、車両３によって支持される長手方向軸ガイドレール７に沿って移動させられるモータ駆動型ハンドリング装置５によって、積載物を積載空間に荷積み／荷卸しするためのどのような種類の車両にも関連する。
【００７３】
本記載は、明示的に記載される例に限定されず、他の実施形態および／または実装も含むことは明らかである。したがって、本発明の範囲から逸脱することなく、説明される一の技術特性は、同等の技術特性と置き換えられてもよく、説明される一の作業ステップは、同等のステップと置き換えられてもよい。
【図１】
0006599443.tif 000002
【図２】
0006599443.tif 000003
【図３】
0006599443.tif 000004
【図４】
0006599443.tif 000005
【図５】
0006599443.tif 000006
【図６ａ】
0006599443.tif 000007
【図６ｂ】
0006599443.tif 000008
【図６ｃ】
0006599443.tif 000009